(57)【要約】【課題】被写体認証システムにおいて、精度よく認証を行う。【解決手段】カードリーダ３０によって被写体認証カード５０から、ＩＣチップに記録されている第３の圧縮画像データと関連情報を取得する。画像サーバ４０から関連情報に対応する元画像データファイル及び圧縮条件を特定する。特定された圧縮条件に従って、元画像データを圧縮した第２の圧縮画像データと、第３の圧縮画像データとを比較し、照合を行う。さらに、デジタルカメラ２０で撮影された撮影画像データと、元画像データとの照合を行う。【選択図】図１                                                   
2005158042.tif 000002
【特許請求の範囲】
【請求項１】
被写体から得られた元画像データ及び当該元画像データを圧縮するための圧縮条件を記憶する記憶媒体と、
前記元画像データを前記圧縮条件に基づいて圧縮することにより生成された第１の圧縮画像データ、及び前記被写体に関する関連情報を被写体認証カードに記録する圧縮画像データ記録手段と、
前記被写体認証カードから圧縮画像データを取得する圧縮画像データ取得手段と、
前記被写体認証カードから前記被写体に関する関連情報を取得する関連情報取得手段と、
前記関連情報取得手段により取得された関連情報に基づいて、前記記憶媒体から、前記関連情報に対応する元画像データ及び圧縮条件を特定するデータ特定手段と、
前記特定された元画像データを前記特定された圧縮条件に基づいて圧縮することにより第２の圧縮画像データを生成する画像圧縮手段と、
前記第２の圧縮画像データと、前記圧縮画像データ取得手段により取得された第３の圧縮画像データとを比較照合するデータ照合手段と、
を備えたことを特徴とする被写体認証システム。
【請求項２】
請求項１に記載の被写体認証システムにおいて、
前記圧縮条件は、メタデータとして前記元画像データ及び／又は前記第１の圧縮画像データに付帯させることを特徴とする被写体認証システム。
【請求項３】
請求項１又は２に記載の被写体認証システムにおいて、
前記元画像データは、前記被写体を撮影して得られた被写体画像データを、前記被写体画像データと同等の画質に復元可能な条件で圧縮した画像データであることを特徴とする被写体認証システム。
【請求項４】
請求項３に記載の被写体認証システムにおいて、
前記被写体画像データから前記元画像データを生成する際の圧縮方式と、前記元画像データから前記第１及び第２の圧縮画像データを生成する際の圧縮方式とは共通の圧縮方式であるとともに、
前記第１及び第２の圧縮画像データは、前記元画像データに復号化処理を介さず、圧縮画像データのままデータ量を削減することにより生成されることを特徴とする被写体認証システム。
【請求項５】
請求項１〜４のいずれか一項に記載の被写体認証システムにおいて、
被写体から画像データを取得する被写体画像取得手段と、
前記圧縮画像データ取得手段により取得された第３の圧縮画像データ、又は、前記データ特定手段により特定された元画像データと、前記被写体画像取得手段により取得された画像データとを照合する画像照合手段と、
を備え、
前記データ照合手段による照合結果と、前記画像照合手段による照合結果とに基づいて、前記被写体の認証を行うことを特徴とする被写体認証システム。
【請求項６】
請求項１〜５のいずれか一項に記載の被写体認証システムにおいて、
前記被写体認証カードのカード面上に、前記被写体の画像が記録されていることを特徴とする被写体認証システム。
【請求項７】
請求項１〜６のいずれか一項に記載の被写体認証システムにおいて、
前記圧縮画像データ取得手段により取得された第３の圧縮画像データ、又は、前記データ特定手段により特定された元画像データを表示する表示手段を備えたことを特徴とする被写体認証システム。
【発明の詳細な説明】
【技術分野】
【０００１】
本発明は、被写体認証カードを用いて被写体の認証を行う被写体認証システムに関する。
【背景技術】
【０００２】
従来、社員証、身分証明書、各種免許証等のＩＤカードが用いられている。これらのＩＤカードには、カード表面に個人情報が直接印刷されているものや、カードに内蔵されたＩＣメモリに個人情報が記録されているものがある。
【０００３】
ＩＤカードの不正使用を防止するために、ＩＤカード面上に印刷された顔写真から得られた画像情報と２次元バーコードで書き込まれた圧縮画像情報とを照合するＩＤカード読取装置や（特許文献１参照。）、ＩＤカードに電気的に記録された顔画像情報と撮影装置によって取得された撮影画像情報とを照合する電子カード発行システム（特許文献２参照。）等が提案されている。
【特許文献１】特開平８−１２９６３４号公報
【特許文献２】特開２００２−２６９５０４号公報
【発明の開示】
【発明が解決しようとする課題】
【０００４】
しかし、カード面上に印刷された顔写真や２次元バーコードを読み取った画像データを照合に用いる場合には、カードの汚損や、経時変化による画質の劣化によって、照合の精度が落ちる場合があった。また、カードに記録されている情報と撮影して得られた撮影画像との照合のみでは、被写体自身の経時的な変化、髭の有無、髪型の違い等により同一とみなされない場合があった。
【０００５】
本発明は上記の従来技術における問題に鑑みてなされたものであって、精度よく認証を行うことが可能な被写体認証システムを提供することを課題とする。
【課題を解決するための手段】
【０００６】
請求項１に記載の発明は、被写体認証システムにおいて、被写体から得られた元画像データ及び当該元画像データを圧縮するための圧縮条件を記憶する記憶媒体と、前記元画像データを前記圧縮条件に基づいて圧縮することにより生成された第１の圧縮画像データ、及び前記被写体に関する関連情報を被写体認証カードに記録する圧縮画像データ記録手段と、前記被写体認証カードから圧縮画像データを取得する圧縮画像データ取得手段と、前記被写体認証カードから前記被写体に関する関連情報を取得する関連情報取得手段と、前記関連情報取得手段により取得された関連情報に基づいて、前記記憶媒体から、前記関連情報に対応する元画像データ及び圧縮条件を特定するデータ特定手段と、前記特定された元画像データを前記特定された圧縮条件に基づいて圧縮することにより第２の圧縮画像データを生成する画像圧縮手段と、前記第２の圧縮画像データと、前記圧縮画像データ取得手段により取得された第３の圧縮画像データとを比較照合するデータ照合手段と、を備えたことを特徴としている。
【０００７】
請求項２に記載の発明は、請求項１に記載の被写体認証システムにおいて、前記圧縮条件は、メタデータとして前記元画像データ及び／又は前記第１の圧縮画像データに付帯させることを特徴としている。
【０００８】
請求項３に記載の発明は、請求項１又は２に記載の被写体認証システムにおいて、前記元画像データは、前記被写体を撮影して得られた被写体画像データを、前記被写体画像データと同等の画質に復元可能な条件で圧縮した画像データであることを特徴としている。
【０００９】
請求項４に記載の発明は、請求項３に記載の被写体認証システムにおいて、前記被写体画像データから前記元画像データを生成する際の圧縮方式と、前記元画像データから前記第１及び第２の圧縮画像データを生成する際の圧縮方式とは共通の圧縮方式であるとともに、前記第１及び第２の圧縮画像データは、前記元画像データに復号化処理を介さず、圧縮画像データのままデータ量を削減することにより生成されることを特徴としている。
【００１０】
請求項５に記載の発明は、請求項１〜４のいずれか一項に記載の被写体認証システムにおいて、被写体から画像データを取得する被写体画像取得手段と、前記圧縮画像データ取得手段により取得された第３の圧縮画像データ、又は、前記データ特定手段により特定された元画像データと、前記被写体画像取得手段により取得された画像データとを照合する画像照合手段と、を備え、前記データ照合手段による照合結果と、前記画像照合手段による照合結果とに基づいて、前記被写体の認証を行うことを特徴としている。
【００１１】
請求項６に記載の発明は、請求項１〜５のいずれか一項に記載の被写体認証システムにおいて、前記被写体認証カードのカード面上に、前記被写体の画像が記録されていることを特徴としている。
【００１２】
請求項７に記載の発明は、請求項１〜６のいずれか一項に記載の被写体認証システムにおいて、前記圧縮画像データ取得手段により取得された第３の圧縮画像データ、又は、前記データ特定手段により特定された元画像データを表示する表示手段を備えたことを特徴としている。
【発明の効果】
【００１３】
請求項１に記載の発明によれば、被写体認証カードから取得された関連情報に基づいて、記憶媒体から関連情報に対応する元画像データ及び圧縮条件を特定し、特定された元画像データを特定された圧縮条件に基づいて圧縮することにより第２の圧縮画像データを生成し、第２の圧縮画像データと、被写体認証カードから取得された第３の圧縮画像データとを比較照合するので、被写体認証カードに記録されている圧縮画像データが記憶媒体に記憶されている元画像データから生成されたものであるか否かを判断することができる。したがって、被写体認証カードの情報が改ざんされていないかを判断することができ、精度よく被写体の認証を行うことができる。
【００１４】
請求項２に記載の発明によれば、圧縮条件が、メタデータとして元画像データ及び／又は第１の圧縮画像データに付帯されているので、圧縮条件と元画像データ及び／又は第１の圧縮画像データとを対応させる手間を省くことができる。
【００１５】
請求項３に記載の発明によれば、記憶媒体は、被写体画像データと同等の画質に復元可能な条件で圧縮した元画像データを記憶するので、最低限のサイズで、より多くの被写体のデータを保持することができる。
【００１６】
請求項４に記載の発明によれば、被写体画像データから元画像データを生成する際と、元画像データから第１及び第２の圧縮画像データを生成する際に、共通の圧縮方式を用い、第１及び第２の圧縮画像データは、元画像データに復号化処理を介さず、圧縮画像データのままデータ量を削減することにより生成されるので、使用するメモリ容量を低減させることができる。
【００１７】
請求項５に記載の発明によれば、圧縮画像データ取得手段により取得された第３の圧縮画像データ、又は、データ特定手段により特定された元画像データと、被写体画像取得手段により取得された画像データとを照合した照合結果と、データ照合手段による照合結果とに基づいて認証を行うので、精度よく被写体の認証を行うことができる。
【００１８】
請求項６に記載の発明によれば、カード面上に被写体の画像が記録されているので、カード面上の画像と、カード所有者とが同一であるかを確認することができる。
【００１９】
請求項７に記載の発明によれば、圧縮画像データ取得手段により取得された第３の圧縮画像データ、又は、データ特定手段により特定された元画像データを表示するので、表示された画像と、カード所有者とが同一であるかを確認することができる。
【発明を実施するための最良の形態】
【００２０】
以下、図面を参照して、本発明の実施の形態について詳細に説明する。
図１に、本発明の実施の形態における被写体認証システム１のシステム構成を示す。
被写体認証システム１は、ＰＣ（Personal Computer）１０、デジタルカメラ２０、被写体認証カード５０に記録されているデータを取得するためのカードリーダ３０、画像サーバ４０、被写体認証カード５０にデータを記録するためのカードライタ６０を備える。デジタルカメラ２０、カードリーダ３０、カードライタ６０は、それぞれＰＣ１０と直接接続されており、ＰＣ１０と画像サーバ４０とはネットワークＮを介して接続されている。
【００２１】
画像サーバ４０は、ハードディスク等により構成された記憶媒体である。画像サーバ４０は、被写体から得られた元画像データと、元画像データを圧縮するための圧縮条件とを記憶している。
【００２２】
元画像データとは、被写体を撮影して得られた被写体画像データを、被写体画像データと同等の画質に復元可能な条件で圧縮した圧縮画像データをいう。同等の画質に復元可能であるとは、元の画像情報と同一の画像情報に復元可能（いわゆる可逆圧縮）か、又は、元の画像情報に対する復元された画像情報のＰＳＮＲ値が４０ｄＢ以上である場合（非可逆圧縮）をいう。ＰＳＮＲ値が４０ｄＢより小さい場合、すなわち画質が低下している場合には、被写体となる画像の特徴的な部分、例えば、顔のほくろや目鼻口等の輪郭がぼやけてしまう可能性がある。
【００２３】
可逆圧縮方式としては、ＪＰＥＧ（Joint Photographic coding Experts Group）２０００、ＴＩＦＦ（Tagged Image File Format）、ＪＰＥＧ−ＬＳ（Lossless）等が挙げられる。非可逆圧縮方式としては、ＪＰＥＧ２０００、ＪＰＥＧ等が挙げられる。
【００２４】
ＪＰＥＧ２０００方式とは、画像データをウェーブレット変換等により複数の解像度毎あるいは濃度分解能毎の階層データに分解し、この分解された各解像度あるいは各濃度分解能の階層データを階層順に符号化して１つのファイルとして圧縮して保管する画像圧縮方式で、ＩＳＯ（国際標準化機構：International Organization for Standardization）及びＩＥＣ（国際電気標準会議：International Electrotechnical Commission）により２０００年１２月に規格化された（ＩＳＯ／ＩＥＣ１５４４４−１）。
【００２５】
ＪＰＥＧ２０００方式は、画像データをブロック毎に処理しないため、ブロックノイズが生じない。また、低周波領域に対しては広い範囲で直交変換を行い、高周波領域に対しては狭い範囲で直交変換が可能であるために、画像のエッジ周辺部における量子化の影響の空間的な広がりを抑えることができる。ＪＰＥＧに用いられているＤＣＴ（離散コサイン変換：Discrete Cosine Transform）では、コサインが無限の関数であるため、理論上、周波数領域毎の処理は難しい。
【００２６】
すなわち、ＪＰＥＧ２０００方式を用いることで、ＪＰＥＧで問題となるブロックノイズやモスキートノイズを抑えることができ、結果的に同程度の画質であれば、高圧縮率でデータを圧縮することが可能となる。
【００２７】
なお、ＪＰＥＧ２０００にも処理負荷低減のためにタイル分割処理という機能があるが、高圧縮処理をした場合にブロックノイズと似たような分割境界が画像上に現れてしまう、いわゆるタイル歪みが生じ、好ましくない。
【００２８】
ＰＳＮＲ（Peak Signal-to-Noise Ratio）値とは、圧縮符号化による画像の劣化の尺度であり、次式で定義される。
【数１】
2005158042.tif 000003
ここで、Ｎ，Ｍは画像の縦と横の画素数、p(i,j)は原画像の場所(i,j)の画素値、p'(i,j)は圧縮画像を復号化したときの画像の場所(i,j)の画素値、Ｔは画像の階調数−１（８ビット画像なら２５６−１＝２５５）である。
【００２９】
圧縮条件とは、画像圧縮時に用いる圧縮方式、目標圧縮率、目標ファイルサイズ、目標ビットレート等をいう。例えば、ＪＰＥＧならば、圧縮時に用いたＱtable等、ＪＰＥＧ２０００ならば、コードブロックサイズ、解像度レベル数、ＤＷＴ（離散ウェーブレット変換：Discrete Wavelet Transform）に用いたフィルタ、量子化ステップサイズ、レイヤ分割条件等のパラメータ情報をいう。
【００３０】
圧縮条件は、画像サーバ４０上に元画像データと別個に記憶されていてもよいが、メタデータとして元画像データに付帯されていてもよい。前者の場合、元画像データと圧縮条件とを対応させる手段が必要になるが、後者の場合、その必要がなく、一意的に対応が決まる。
【００３１】
圧縮条件を付帯させる具体的な手段として、例えば、圧縮方式の１つであるＪＰＥＧ２０００の基本方式ファイルフォーマットでは、圧縮符号化した画像データに対して付加的な情報の付与が可能で、その中にＸＭＬ形式の情報を記録することができるようになっている（ＩＳＯ／ＩＥＣ  １５４４４−１）。圧縮条件をＸＭＬ形式にすることにより、メタデータとして記録することができる。また、別の圧縮方式として、ＪＰＥＧでは、例えば、アプリケーションデータセグメント（ＡＰＰｎ）を利用して圧縮条件を記録することが可能である。
【００３２】
また、パラメータによっては、マーカセグメント等に自動的に記録されるものもあり、その場合は圧縮条件として別に記録しなくてもよい。
【００３３】
元画像データが、例えば、圧縮前の被写体画像データに対して１／２〜１／３に圧縮されている場合には、画像サーバ４０は、圧縮前の被写体画像データを蓄積する場合と比較して、２〜３倍のデータを蓄積することが可能になる。
【００３４】
次に、被写体認証カード５０について説明する。
被写体認証カード５０は、図２に示すように、表面シート５１、ＩＣチップ５２、ＩＣチップ５２に接続されたコイル状のアンテナ５３、裏面シート５４から構成され、接着シート５５，５６により接着されている。ＩＣチップ５２の記憶容量は２ＫＢである。
【００３５】
被写体認証カード５０のカード面上（表面シート５１）には、被写体（カード所有者）の顔画像や氏名等が記録されている。例えば、カード面に顔画像が４００ＤＰＩ（dots per inch）、２．４ｃｍ×３ｃｍのサイズで印刷されている。
【００３６】
また、被写体認証カード５０内のＩＣチップ５２には、第１の圧縮画像データ及び被写体に関する関連情報が電気的に記録されている。
第１の圧縮画像データとは、元画像データをＩＣチップ５２の記憶容量に応じた画像データサイズに圧縮することにより生成された圧縮画像データをいう。圧縮方式としては、ＪＰＥＧ、ＪＰＥＧ２０００等が挙げられる。ただし、圧縮後のビットレートが１．０ｂｐｐ（bits per pixel）以下になるような高圧縮処理が必要な場合は、ＪＰＥＧ２０００方式が好ましい。元画像データがＩＣチップ５２の記憶容量以下のサイズである場合には、その元画像データをそのままＩＣチップ５２に記録してもよい。
【００３７】
また、第１の圧縮画像データを生成する際に、元画像データを一度復号化して、再度圧縮処理を行ってもよいが、被写体画像データから元画像データを生成する際、元画像データから第１の圧縮画像データを生成する際に、ともにＪＰＥＧ２０００を用いた場合、そのスケーラビリティ機能を用いることにより、復号化処理を介さずに、圧縮画像データのままデータ量を削減して、圧縮を行うことができる。スケーラビリティとは、圧縮されたデータから用途に応じた品質の画像を復元することができる機能で、圧縮データの一部のみを復元することにより、再生する画像の解像度（縦横の画素数）や画質を変化させることができる。すなわち、所望のデータサイズとなる解像度レベルやビットプレーン、レイヤ、コンポーネント（色）以外の符号情報を切り捨てることで圧縮データが得られる。また、復号化処理をしないことによりメモリ使用量を低減させることができる。このような特徴から、元画像データ、第１の圧縮画像データを生成する際には、ともにＪＰＥＧ２０００を用いることが好ましい。
【００３８】
被写体に関する関連情報として、画像サーバ４０上でのファイル名等、元画像データを特定可能なＩＤや、撮影日時、撮影場所を特定する情報、免許証番号、クレジットカードの番号、住民票コード、印鑑登録番号、社員番号、診察券番号、自動車のナンバー、鑑定書番号、被写体の氏名、年齢等が挙げられる。
【００３９】
関連情報は、第１の圧縮画像データと別個に記録されていてもよいが、メタデータとして第１の圧縮画像データに付帯されていてもよい。前者の場合、画像データと関連情報とを対応させる手段が必要になるが、後者の場合、その必要がなく、一意的に対応が決まる。
また、第１の圧縮画像データにメタデータとして圧縮条件が付帯されていてもよい。
【００４０】
関連情報がメタデータとして元画像データに付帯されていた場合、関連情報の全てを第１の圧縮画像データにも付帯させてもよいし、必要なもののみを選択して付帯させてもよい。最小限のもののみを付帯させることにより、その分の容量を画像データの方に振り分けることができ、記録される画像データの画質をその分だけ向上させることができる。
【００４１】
関連情報を付帯させる具体的な手段として、例えば、ＪＰＥＧ２０００では、関連情報をＸＭＬ形式にすることにより、メタデータとして記録することができる。関連情報がごく少ない容量であれば、バイナリデータとしてコメントを記録できるＣＯＭマーカセグメント情報として記録することも可能である。また、ＪＰＥＧでは、例えば、アプリケーションデータセグメント（ＡＰＰｎ）を利用して関連情報を記録することが可能である。
【００４２】
ＰＣ１０は、被写体認証システム１の各装置を統括的に制御する。
図３に示すように、ＰＣ１０は、ＣＰＵ（Central Processing Unit）１１、入力手段１２、表示手段１３、通信部１４、ＲＯＭ（Read Only Memory）１５、ＲＡＭ（Random Access Memory）１６、記憶部１７を備える。
【００４３】
ＣＰＵ１１は、入力手段１２から入力される各種指示や、通信部１４から入力されるデータに従って、ＲＯＭ１５に記憶されている各種プログラムの中から指定されたプログラムをＲＡＭ１６のワークエリアに展開し、上記プログラムとの協働によって各種処理を実行し、その処理結果をＲＡＭ１６の所定の領域に格納するとともに、表示手段１３に表示させる。
【００４４】
ＣＰＵ１１は、カードリーダ３０により取得された関連情報の中から画像を特定することができる情報、例えば、ＩＤナンバーやファイル名等に基づいて、その関連情報に対応する元画像データと、元画像データを圧縮するための圧縮条件とを画像サーバ４０から検索し、特定するデータ特定手段としての機能を有する。
【００４５】
また、ＣＰＵ１１は、特定された元画像データに対して、特定された圧縮条件で圧縮を行い、第２の圧縮画像データを生成する画像圧縮手段としての機能を有する。ここでは、第１の圧縮画像データが生成される場合と同様、ＪＰＥＧ２０００、ＪＰＥＧ等の圧縮方式が用いられる。
【００４６】
また、ＣＰＵ１１は、第２の圧縮画像データと、カードリーダ３０により取得された圧縮画像データとを比較照合するデータ照合手段としての機能を有する。バイナリデータ自体を照合してもよいし、一度双方を復号化したうえで各情報を照合してもよい。第２の圧縮画像データとカードリーダ３０により取得された圧縮画像データとが一致した場合、被写体認証カード５０に記録されている圧縮画像データは、特定された画像サーバ４０の元画像データから作成されたものであると判断される。
【００４７】
また、ＣＰＵ１１は、デジタルカメラ２０により新たに撮影された撮影画像データと、特定された元画像データとを照合する画像照合手段としての機能を有する。なお、撮影画像データと、カードリーダ３０により取得された圧縮画像データとを照合することとしてもよい。
【００４８】
顔画像の照合を行う方法として、特開２００２−２５１３８０号公報に開示されている方法を用いることができる。照合の対象となる両画像データの中から顔である部分をそれぞれ検出し、それぞれの顔画像データを平行移動、拡大または縮小、あるいは回転等の画像処理を行い、最適な大きさになるように正規化する。次に、正規化された各顔画像データにウェーブレット変換を施して、顔器官（目、鼻、頬骨、口、顎等）の個々の位置を詳細に検出して特徴点を抽出する。
【００４９】
両画像データから得た顔画像の特徴点を比較照合し、類似度を算出する。そして、算出された類似度が閾値以上である場合に、両被写体は一致すると判断し、算出された類似度が閾値未満である場合に、両被写体は不一致であると判断する。なお、顔画像を照合する方法は、これに限定されるものではなく、適宜、適切な方法で行えばよい。
【００５０】
入力手段１２は、カーソルキーや数字キー、各種機能キーからなるキーボードと、マウス等のポインティングデバイスとを備えて構成され、各キー操作による押下信号をＣＰＵ１１に出力する。
【００５１】
表示手段１３は、ＣＲＴ（Cathode Ray Tube）やＬＣＤ（Liquid Crystal Display）等で構成されるモニタであり、ＣＰＵ１１からの表示信号に従って、画面表示を行う。例えば、表示手段１３は、カードリーダ３０により被写体認証カード５０から取得された圧縮画像データや、画像サーバ４０から特定された元画像データを表示する。
【００５２】
通信部１４は、各装置との間で各種情報の送受信を行うためのインターフェースである。
【００５３】
ＲＯＭ１５は、不揮発性の半導体メモリで構成され、ＣＰＵ１１により実行される各種プログラム等を記憶している。
【００５４】
ＲＡＭ１６は、書き換え可能な半導体素子で構成される。ＲＡＭ１６は、データが一時的に保存される記憶媒体であり、ＣＰＵ１１が実行するためのプログラムを展開するためのプログラムエリア、ＣＰＵ１１による各種処理結果等を保存するためのデータエリア、等が形成される。
【００５５】
記憶部１７は、磁気的、光学的記録媒体、又は半導体メモリ等を含んだ構成であり、カードリーダ３０により被写体認証カード５０から取得された圧縮画像データ及び関連情報、画像サーバ４０から特定された元画像データ及び圧縮条件、デジタルカメラ２０により撮影された撮影画像データ等、各種情報を記憶する。
【００５６】
デジタルカメラ２０は、被写体を撮影して画像データを取得する被写体画像取得手段である。被写体画像取得手段として、被写体を撮影するアナログビデオカメラ、デジタルビデオカメラ、デジタルスチルカメラ等の画像撮影装置や、カード面上に印刷された画像を取り込むスキャナ等の画像読取装置が挙げられる。
【００５７】
カードリーダ３０は、被写体認証カード５０を読み込み、ＩＣチップ５２に記録されている圧縮画像データ及び関連情報を取得する。すなわち、カードリーダ３０は、圧縮画像データ取得手段及び関連情報取得手段として機能する。
【００５８】
カードライタ６０は、第１の圧縮画像データ及び被写体に関する関連情報を被写体認証カード５０のＩＣチップ５２に記録する。すなわち、カードライタ６０は、圧縮画像データ記録手段として機能する。
【００５９】
ネットワークＮは、ＬＡＮ（Local Area Network）、ＷＡＮ（Wide Area Network）、インターネットを含めてもよく、電話回線網、ＩＳＤＮ（Integrated Services Digital Network）回線網、ＡＤＳＬ（Asymmetric Digital Subscriber Line）回線網、移動体通信網、通信衛星回線、ＣＡＴＶ回線、光通信回線、無線通信回線等を含む構成でもよい。
【００６０】
次に、動作について説明する。
まず、図４を参照して、被写体認証システム１において実行される被写体認証カード作成処理を説明する。
【００６１】
図４に示すように、デジタルカメラ２０により被写体が撮影され、被写体画像データが取得される（ステップＰ１）。
【００６２】
次に、被写体画像データが、被写体画像データと同等の画質に復元可能な条件で圧縮され、元画像データが生成される（ステップＰ２）。元画像データは、画像サーバ４０に記憶される。
【００６３】
次に、元画像データがＩＣチップ５２の記憶容量に応じた画像データサイズに圧縮され、第１の圧縮画像データが生成される（ステップＰ３）。そして、第１の圧縮画像データを生成するための圧縮条件が画像サーバ４０に記憶される（ステップＰ４）。
【００６４】
次に、カードライタ６０において、被写体認証カード５０に設けられているＩＣチップ５２に、第１の圧縮画像データ、及び画像サーバ４０に記憶されている関連情報（第１の圧縮画像データに対応している）が記録される（ステップＰ５）。
こうして、第１の圧縮画像データ、及びそれに対応する関連情報が記録された被写体認証カード５０が作成される。また、被写体認証カード５０のカード面上には、被写体の顔画像や氏名等が記録される。
【００６５】
続いて、図５を参照して、被写体認証システム１において実行される被写体認証処理を説明する。被写体認証処理は、被写体認証カード５０の更新手続きを行う際等に行われる処理である。更新手続きにおいて、被写体認証カード５０に設けられているＩＣチップ５２に記録されている第１の圧縮画像データは、改ざんされ別の圧縮画像データになっている可能性があるため、照合作業が必要となる。この照合作業を行う際に被写体認証カード５０から取得された圧縮画像データを第３の圧縮画像データとする。
【００６６】
まず、カードリーダ３０によって被写体認証カード５０から、ＩＣチップ５２に記録されている（第１の圧縮画像データであると推測されるが未だ確信が持てない）第３の圧縮画像データと関連情報（ＩＤナンバーを含む。）が取得される（ステップＳ１，Ｓ２）。
【００６７】
次に、関連情報として取得されたＩＤナンバーに基づいて、画像サーバ４０から、ＩＤナンバーに対応する元画像データファイル及び圧縮条件が特定され、ネットワークＮを介して読み出される（ステップＳ３）。
【００６８】
特定された元画像データは、表示手段１３のモニタ画面に表示される。第３の圧縮画像データ、又は、元画像データを復号化して得られる画像データがモニタ画面に表示されることとしてもよい。
【００６９】
そして、特定された圧縮条件（例えば、ＪＰＥＧ２０００方式使用。目標ファイルサイズ２ＫＢ。）に従って、元画像データが圧縮され、第２の圧縮画像データが生成される（ステップＳ４）。レイヤ分割としてビットプレーンを分割単位とし、２ＫＢ（正確には２ＫＢからメタデータ部分を差し引いた容量）を超えるレイヤ情報を圧縮画像データのまま符号を削除することにより、第２の圧縮画像データが生成される。
【００７０】
次に、第２の圧縮画像データと、被写体認証カード５０から取得された第３の圧縮画像データとがバイナリデータレベルで比較され、照合が行われる（ステップＳ５）。
【００７１】
この照合により、第２の圧縮画像データと第３の圧縮画像データとが一致する、すなわち、第３の圧縮画像データが第１の圧縮画像データと同一であると判断された場合には（ステップＳ６；ＹＥＳ）、デジタルカメラ２０で撮影された撮影画像データと、元画像データとの照合が行われる（ステップＳ７）。双方の画像データの特徴量に基づいて類似度が算出され、その類似度がある閾値以上である場合には、カードの所有者本人であるとみなされる。
【００７２】
撮影画像データと、元画像データとが一致すると判断された場合には（ステップＳ８；ＹＥＳ）、認証された被写体に応じて予め定められた範囲内においてシステムの利用を可能とし（ステップＳ９）、被写体認証処理が終了する。
【００７３】
ステップＳ６において第２の圧縮画像データと第３の圧縮画像データとが一致しない場合（ステップＳ６；ＮＯ）、又は、ステップＳ８において撮影画像データと元画像データとが一致しない場合には（ステップＳ８；ＮＯ）、システムを利用不可にして（ステップＳ１０）、被写体認証処理が終了する。
【００７４】
また、モニタに表示された顔画像やカードに印刷された顔画像と、カードの所有者本人とを操作者が目視で確認することにより、同一人物であるか否かを判断することとしてもよい。この場合、操作者が遠隔地で目視確認することとしてもよい。すなわち、撮影された顔画像と画像サーバ４０上の元画像データをネットワークＮを介して遠隔地にいる操作者が取得し、比較・確認して結果をシステム側に送信することもできる。また、装置によるデータの照合が一致しなかった場合のみに、カードの所有者が予め定められたボタンを押す等の操作を行い、操作者が照合を行うようにしてもよい。
【００７５】
被写体認証システム１によれば、被写体認証カード５０から取得された関連情報に基づいて、画像サーバ４０から関連情報に対応する元画像データ及び圧縮条件を特定し、特定された元画像データを特定された圧縮条件に基づいて圧縮することにより第２の圧縮画像データを生成し、第２の圧縮画像データと、被写体認証カード５０から取得された第３の圧縮画像データとを比較照合するので、被写体認証カード５０に記録されている圧縮画像データが画像サーバ４０に記憶されている元画像データから生成されたものであるか否か、つまり、第３の圧縮画像データが第１の圧縮画像データと同一であるか否かを判断することができる。よって、被写体認証カード５０の情報が改ざんされていないかを判断することができる。
【００７６】
さらに、元画像データと、デジタルカメラ２０で撮影された撮影画像データとを照合した照合結果を合わせて用いることにより、精度よく被写体の認証を行うことができる。
【００７７】
また、画像サーバ４０は、被写体画像データと同等の画質に復元可能な条件で圧縮した元画像データを記憶するので、最低限のサイズで、より多くの被写体のデータを保持することができる。ただし、画像サーバ４０の記憶容量が充分にある場合には、圧縮されていない画像データを記憶することとしてもよい。
【００７８】
このような被写体認証を行う例として、具体的には、役所、郵便局、銀行、クレジットカードを扱う場所等が挙げられる。認証結果に基づいて、免許証等の各種認証カードの更新や、印鑑登録証明書の発行、住民票や戸籍抄本・謄本の発行等の判断を行うことができる。また、会社の社員証によるセキュリティを重視する建物への入室管理、閲覧を許可された者のみに交付された専用カードによるデータへのアクセス制限、運転免許証によって認証された場合にのみエンジンが作動する自動車等にも応用することができる。
【００７９】
なお、上記実施の形態における記述は、本発明に係る好適な被写体認証システムの例であり、これに限定されるものではない。被写体認証システムを構成する各部の細部構成及び細部動作に関しても本発明の趣旨を逸脱することのない範囲で適宜変更可能である。
【００８０】
例えば、上記実施の形態では、圧縮画像データ取得手段として、カード内のＩＣチップ５２に記録されているデータを取得するカードリーダ３０について説明したが、その他の記憶媒体に記録されているデータを取得するカードリーダ、データが２次元バーコードとして記録されている場合にはバーコード読取装置等を用いることができる。これらの装置は一般的に市販されているものでよい。
【００８１】
また、上記実施の形態では、関連情報取得手段として、カード内のＩＣチップ５２に記録されている関連情報を取得するカードリーダ３０について説明したが、カード面に記録されているＩＤナンバーや氏名等の関連情報を取得する場合にはスキャナ、手入力により取得する場合にはキーボードやマウス等の入力手段が考えられる。
【００８２】
また、被写体を撮影して取得される画像については、被写体の顔画像に限定されない。被写体は、人であってもよいし、物であってもよいし、動物であってもよいが、その被写体を特定することができる識別性の高い部分を含むことが求められる。例えば、人の場合、顔の他、指紋、網膜、虹彩、掌形等の生体情報であってもよい。被写体が物の場合、例えば、印鑑（実印等）の印面等であってもよい。また、被写体が動物の場合、その動物の鼻紋、耳紋等であってもよい。
【図面の簡単な説明】
【００８３】
【図１】本発明の実施の形態における被写体認証システム１のシステム構成図である。
【図２】被写体認証カード５０の構成を示す概略図である。
【図３】ＰＣ１０の機能的構成を示すブロック図である。
【図４】被写体認証システム１において実行される被写体認証カード作成処理を説明するフローチャートである。
【図５】被写体認証システム１において実行される被写体認証処理を説明するフローチャートである。
【符号の説明】
【００８４】
１  被写体認証システム
１０  ＰＣ
１１  ＣＰＵ
１２  入力手段
１３  表示手段
１４  通信部
１５  ＲＯＭ
１６  ＲＡＭ
１７  記憶部
２０  デジタルカメラ
３０  カードリーダ
４０  画像サーバ
５０  被写体認証カード
５１  表面シート
５２  ＩＣチップ
５３  アンテナ
５４  裏面シート
５５，５６  接着シート
６０  カードライタ
Ｎ  ネットワーク
【図１】
2005158042.tif 000004
【図２】
2005158042.tif 000005
【図３】
2005158042.tif 000006
【図４】
2005158042.tif 000007
【図５】
2005158042.tif 000008